【手続補正書】
【提出日】平成26年5月23日(2014.5.23)
【手続補正１】
【補正対象書類名】特許請求の範囲
【補正対象項目名】全文
【補正方法】変更
【補正の内容】
【特許請求の範囲】
【請求項１】
滅菌剤が入っているカートリッジの中から、前記滅菌剤を吸い出して対象物を滅菌する滅菌装置であって、
前記滅菌装置に取り付けられた前記カートリッジをロックするロック手段と、
前記ロック手段による前記カートリッジのロックを解除する解除手段と、
前記カートリッジの中の前記滅菌剤を吸い出す吸出し手段と、
を備え、
前記吸出し手段は、前記対象物を滅菌する滅菌プロセスで使用される所定量の滅菌剤を、前記カートリッジの中から吸い出すプロセスを行った後に、更に、当該プロセスで吸い出されたカートリッジ内に残っている残留滅菌剤を吸い出すプロセスを行い、
前記解除手段は、前記吸出し手段による前記カートリッジ内に残っている残留滅菌剤を吸い出すプロセスを行った後に、前記ロック手段による前記カートリッジのロックを解除することを特徴とする滅菌装置。
【請求項２】
前記カートリッジの中の滅菌剤を廃棄する廃棄手段を更に備え、
前記解除手段は、前記吸出し手段による前記カートリッジ内に残っている残留滅菌剤を吸い出すプロセスを行い、前記廃棄手段による当該残留滅菌剤の廃棄処理を行った後に、前記ロック手段による前記カートリッジのロックを解除することを特徴とする請求項１に記載の滅菌装置。
【請求項３】
前記廃棄手段は、前記カートリッジの中の全ての滅菌剤を、触媒を利用して、分解することにより廃棄することを特徴とする請求項２に記載の滅菌装置。
【請求項４】
前記カートリッジは、カートリッジの中の滅菌剤に係るデータを記憶した記憶媒体を備えたカートリッジであり、
前記カートリッジが備えた前記記憶媒体から前記データを読み取る読取手段と、
前記読取手段により読み取られた前記データが、所定の条件を満たすかを判定する判定手段と、
を更に備え、
前記吸出し手段は、前記判定手段により、前記読取手段により読み取られた前記データが、前記所定の条件を満たすと判定された場合、前記カートリッジ内に残っている残留滅菌剤を吸い出すプロセスを行うことを特徴とする請求項１乃至４の何れか１項に記載の滅菌装置。
【請求項５】
前記データは、前記カートリッジ内に残っている前記滅菌剤の残量を含み、
前記判定手段は、前記読取手段により読み取られた、前記カートリッジ内に残っている前記滅菌剤の残量が、前記所定の条件としての、滅菌プロセスで用いられる前記滅菌剤の量が前記カートリッジ内に残っているかの条件を満たすかを判定することを特徴とする請求項４に記載の滅菌装置。
【請求項６】
前記データは、前記カートリッジの製造日を含み、
前記判定手段は、前記読取手段により読み取られた前記製造日が、前記所定の条件としての、前記カートリッジの製造日から所定時間経過しているかの条件を満たすかを判定することを特徴とする請求項４又は５に記載の滅菌装置。
【請求項７】
前記データは、前記カートリッジの初回使用日を含み、
前記判定手段は、前記読取手段により読み取られた前記初回使用日が、前記所定の条件としての、前記カートリッジの初回使用日から所定時間経過しているかの条件を満たすかを判定することを特徴とする請求項４乃至６の何れか１項に記載の滅菌装置。
【請求項８】
前記吸出し手段により前記カートリッジの中から前記滅菌剤が吸い出されることに応じて、前記記憶媒体に記憶されているデータを更新する更新手段を更に備え、
前記判定手段は、前記更新手段により更新されるデータが、所定の条件を満たすかを判定することを特徴とする請求項４乃至７の何れか１項に記載の滅菌装置。
【請求項９】
前記更新手段は、前記読取手段で、前記カートリッジに備えられた前記記憶媒体から、初回使用日が読み取れなかった場合に、前記記憶媒体に、初回使用日を示す情報を記憶させることを特徴とする請求項８に記載の滅菌装置。
【請求項１０】
前記更新手段は、前記記憶媒体に記憶されているデータに含まれる、前記カートリッジの中に残っている滅菌剤の残量を、前記吸出し手段により吸い出された滅菌剤の量に従って更新することを特徴とする請求項８又は９に記載の滅菌装置。
【請求項１１】
前記ロック手段は、前記読取手段により前記データを読み取れた場合に、前記カートリッジをロックすることを特徴とする請求項４乃至１０の何れか１項に記載の滅菌装置。
【請求項１２】
滅菌剤が入っているカートリッジの中から、前記滅菌剤を吸い出して対象物を滅菌する滅菌装置における滅菌方法であって、
前記滅菌装置のロック手段が、前記滅菌装置に取り付けられた前記カートリッジをロックするロック工程と、
前記滅菌装置の解除手段が、前記ロック工程による前記カートリッジのロックを解除する解除工程と、
前記滅菌装置の吸出し手段が、前記カートリッジの中の前記滅菌剤を吸い出す吸出し工程と、
を備え、
前記吸出し工程は、前記対象物を滅菌する滅菌プロセスで使用される所定量の滅菌剤を、前記カートリッジの中から吸い出すプロセスを行った後に、当該プロセスで吸い出されたカートリッジ内に残っている残留滅菌剤を吸い出すプロセスを行い、
前記解除工程は、前記吸出し工程による前記カートリッジ内に残っている残留滅菌剤を吸い出すプロセスを行った後に、前記ロック工程による前記カートリッジのロックを解除することを特徴とする滅菌方法。
【請求項１３】
滅菌剤が入っているカートリッジの中から、前記滅菌剤を吸い出して対象物を滅菌する滅菌装置で読み取り実行可能なプログラムあって、
前記滅菌装置を、
前記滅菌装置に取り付けられた前記カートリッジをロックするロック手段と、
前記ロック手段による前記カートリッジのロックを解除する解除手段と、
前記カートリッジの中の前記滅菌剤を吸い出す吸出し手段として機能させ、
前記吸出し手段は、前記対象物を滅菌する滅菌プロセスで使用される所定量の滅菌剤を、前記カートリッジの中から吸い出すプロセスを行った後に、当該プロセスで吸い出されたカートリッジ内に残っている残留滅菌剤を吸い出すプロセスを行い、
前記解除手段は、前記吸出し手段による前記カートリッジ内に残っている残留滅菌剤を吸い出すプロセスを行った後に、前記ロック手段による前記カートリッジのロックを解除することを特徴とするプログラム。
【手続補正２】
【補正対象書類名】明細書
【補正対象項目名】０００１
【補正方法】変更
【補正の内容】
【０００１】
本発明は、滅菌装置、滅菌方法、プログラムに関し、特に、カートリッジ内に残っている残留滅菌剤を吸い出すプロセスが行われていないカートリッジを滅菌装置から取り出すことが出来ないようにし、残留滅菌剤を吸い出すプロセスが行われたカートリッジを滅菌装置から取り出すことが出来るようにするための仕組みに関する。
【手続補正３】
【補正対象書類名】明細書
【補正対象項目名】０００８
【補正方法】変更
【補正の内容】
【０００８】
本発明の目的は、カートリッジ内に残っている残留滅菌剤を吸い出すプロセスが行われていないカートリッジを滅菌装置から取り出すことが出来ないようにし、残留滅菌剤を吸い出すプロセスが行われたカートリッジを滅菌装置から取り出すことが出来るようにするための仕組みを提供することである。
【手続補正４】
【補正対象書類名】明細書
【補正対象項目名】０００９
【補正方法】変更
【補正の内容】
【０００９】
本発明は、滅菌剤が入っているカートリッジの中から、前記滅菌剤を吸い出して対象物を滅菌する滅菌装置であって、前記滅菌装置に取り付けられた前記カートリッジをロックするロック手段と、前記ロック手段による前記カートリッジのロックを解除する解除手段と、前記カートリッジの中の前記滅菌剤を吸い出す吸出し手段と、を備え、前記吸出し手段は、前記対象物を滅菌する滅菌プロセスで使用される所定量の滅菌剤を、前記カートリッジの中から吸い出すプロセスを行った後に、当該プロセスで吸い出されたカートリッジ内に残っている残留滅菌剤を吸い出すプロセスを行い、前記解除手段は、前記吸出し手段による前記カートリッジ内に残っている残留滅菌剤を吸い出すプロセスを行った後に、前記ロック手段による前記カートリッジのロックを解除することを特徴とする。
【手続補正５】
【補正対象書類名】明細書
【補正対象項目名】００１０
【補正方法】変更
【補正の内容】
【００１０】
また、本発明は、滅菌剤が入っているカートリッジの中から、前記滅菌剤を吸い出して対象物を滅菌する滅菌装置における滅菌方法であって、前記滅菌装置のロック手段が、前記滅菌装置に取り付けられた前記カートリッジをロックするロック工程と、前記滅菌装置の解除手段が、前記ロック工程による前記カートリッジのロックを解除する解除工程と、前記滅菌装置の吸出し手段が、前記カートリッジの中の前記滅菌剤を吸い出す吸出し工程と、を備え、前記吸出し工程は、前記対象物を滅菌する滅菌プロセスで使用される所定量の滅菌剤を、前記カートリッジの中から吸い出すプロセスを行った後に、当該プロセスで吸い出されたカートリッジ内に残っている残留滅菌剤を吸い出すプロセスを行い、前記解除工程は、前記吸出し工程による前記カートリッジ内に残っている残留滅菌剤を吸い出すプロセスを行った後に、前記ロック工程による前記カートリッジのロックを解除することを特徴とする。
【手続補正６】
【補正対象書類名】明細書
【補正対象項目名】００１１
【補正方法】変更
【補正の内容】
【００１１】
また、本発明は、滅菌剤が入っているカートリッジの中から、前記滅菌剤を吸い出して対象物を滅菌する滅菌装置で読み取り実行可能なプログラムあって、前記滅菌装置を、前記滅菌装置に取り付けられた前記カートリッジをロックするロック手段と、前記ロック手段による前記カートリッジのロックを解除する解除手段と、前記カートリッジの中の前記滅菌剤を吸い出す吸出し手段として機能させ、前記吸出し手段は、前記対象物を滅菌する滅菌プロセスで使用される所定量の滅菌剤を、前記カートリッジの中から吸い出すプロセスを行った後に、当該プロセスで吸い出されたカートリッジ内に残っている残留滅菌剤を吸い出すプロセスを行い、前記解除手段は、前記吸出し手段による前記カートリッジ内に残っている残留滅菌剤を吸い出すプロセスを行った後に、前記ロック手段による前記カートリッジのロックを解除することを特徴とする。
【手続補正７】
【補正対象書類名】明細書
【補正対象項目名】００１２
【補正方法】変更
【補正の内容】
【００１２】
本発明により、カートリッジ内に残っている残留滅菌剤を吸い出すプロセスが行われていないカートリッジを滅菌装置から取り出すことが出来ないようにし、残留滅菌剤を吸い出すプロセスが行われたカートリッジを滅菌装置から取り出すことが出来るようにするための仕組みを提供するができる。